(57)【要約】【課題】電気部品間の接触不良を防止するとともに、基台や電気部品の変形を抑制すること。【解決手段】基台２２の下方の面に、充電池２４や制御基板２３Ｂ等の複数の電気部品が取り付けられている。制御基板２３Ｂとアンテナ基板２３Ｃは束線２２１Ａにより接続されており、束線２２１Ａの周辺には束線２２１Ａをガイドするガイド板２２２Ａが設置されている。ガイド板２２２Ａは束線２２１Ａの動きを規制する。【選択図】図６
2010133724.tif 000002
【特許請求の範囲】
【請求項１】
被写体に向けて照射された放射線を検出する放射線画像検出装置であって、
入射した放射線を光に変換するシンチレータと、当該シンチレータにより変換された光を受けて電気信号に変換する検出部と、を有する検出器ユニットと、
一方の面に前記検出器ユニットが取り付けられ、他方の面に複数の電気部品が取り付けられた基台と、
前記複数の電気部品間を電気的に接続する束線と、
前記基台に設置され、前記束線をガイドする板状のガイド部と、
を備えることを特徴とする放射線画像検出装置。
【請求項２】
少なくとも前記基台を内蔵する筐体を備え、
前記基台が前記筐体に内蔵された状態において、前記ガイド部が前記筐体の内壁に保持されている請求項１に記載の放射線画像検出装置。
【請求項３】
前記ガイド部は、前記束線の方向が変更している箇所に設置されている請求項１又は２に記載の放射線画像検出装置。
【請求項４】
以下の関係式を満足する請求項１から３までの何れか１項に記載の放射線画像検出装置。
１．０５×Ｃ≦Ｄ≦１．１５×Ｃ
Ｃ：前記束線の幅
Ｄ：前記ガイド部の設置幅
【発明の詳細な説明】
【技術分野】
【０００１】
本発明は、放射線画像検出装置に関する。
【背景技術】
【０００２】
近年、被写体に放射線を照射し、被写体を透過した放射線を検出して放射線画像を得る方法として、デジタル方式の放射線画像検出装置が用いられている。このような放射線画像検出装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を二次元的に配列し、被写体を透過した放射線が蛍光体（シンチレータ）に照射され、照射された放射線量に応じて発光する可視光を検出素子により電荷に変換して光電変換素子に蓄積し、光電変換素子に蓄積した電荷を読み出すことにより放射線画像を得るものがある（特許文献１参照）。このようなＦＰＤは撮影直後に放射線画像を得られるという即時性を有している。
【０００４】
図１１はＦＰＤである放射線画像検出装置を用いた従来のシステムの概略図である。
【０００５】
放射線画像検出装置ＡはＸ線検出部Ｂを内蔵し、Ｘ線発生部Ｃから出射されたＸ線を被写体Ｐに照射し、被写体Ｐを透過したＸ線は二次元の格子状に配列した光電変換素子を有するＸ線検出部Ｂによって検出される。光電変換素子から出力される画像信号を画像処理部Ｄにおいてデジタル画像処理し、モニタＥに被写体ＰのＸ線画像を表示する。
【０００６】
図１２は従来の放射線画像検出装置Ａの一例を示す縦断面図である。
【０００７】
筐体Ａ１には、スペーサＡ２を介して基台Ａ３が設けられ、この基台Ａ３上にはＸ線検出部Ｂが取り付けられている。Ｘ線検出部Ｂは、ガラス板により構成された基板Ｂ１、半導体プロセスにより二次元配列的に形成された光電変換素子Ｂ２、金属化合物から成る蛍光体を樹脂板に塗布した蛍光板Ｂ３が一体的に積層されて構成されている。
【０００８】
基台Ａ３の下面にはベース部材Ａ４を介して複数の電気部品Ａ５を取り付けられている。電気部品Ａ５としては、光電変換された電気信号を処理するための回路基板であったり、動作を制御する制御基板であったりする。電気部品Ａ５と光電変換素子Ｂ２間は、フレキシブル回路基板Ａ６によって接続されている。
【特許文献１】特開２００１−３４６７８８号公報
【発明の開示】
【発明が解決しようとする課題】
【０００９】
図１２に示す放射線画像検出装置Ａは可搬型であり、所定の場所に運ばれてＸ線画像の撮影に使用されるわけであるが、所定の場所に運ばれる最中に誤って放射線画像検出装置Ａを落下させてしまったり、他の物体に衝突させてしまったりして、放射線画像検出装置Ａには突発的な衝撃が加わる場合がある。ベース部材Ａ４を介して基台Ａ３の下面に取り付けられた複数の電気部品Ａ５同士は、電気信号の授受等を行うため、フレキシブルな束線（不図示）で電気的に接続されているが、放射線画像検出装置Ａに突発的な衝撃が加わると束線が動いてしまい、電気部品Ａ５に対する束線の接続箇所が外れる等により接触不良が発生する可能性がある。場合によっては、動いた束線の一部が筐体Ａ１内の他の部材に接触して束線自体が損傷してしまう可能性もある。
【００１０】
また、Ｘ線撮影時には被写体Ｐが放射線画像検出装置Ａの上に横になったり座ったりするため、図１２に示すようにＸ線検出部Ｂが設置された方向において、放射線画像検出装置Ａには一定の荷重Ｆが加わる。基台Ａ３が中央領域において支えられていない状態で荷重Ｆが加わると、基台Ａ３が撓んで電気部品Ａ５が変形してしまい、電気部品Ａ５が破損してＸ線の適切な検出動作が行えない可能性がある。
【００１１】
そこで、本発明の目的は、電気部品間の接触不良を防止するとともに、基台や電気部品の変形を抑制する放射線画像検出装置を提供することになる。
【課題を解決するための手段】
【００１２】
上記目的を達成するため、本発明に係る放射線画像検出装置は、
被写体に向けて照射された放射線を検出する放射線画像検出装置であって、
入射した放射線を光に変換するシンチレータと、当該シンチレータにより変換された光を受けて電気信号に変換する検出部と、を有する検出器ユニットと、
一方の面に前記検出器ユニットが取り付けられ、他方の面に複数の電気部品が取り付けられた基台と、
前記複数の電気部品間を電気的に接続する束線と、
前記基台に設置され、前記束線をガイドする板状のガイド部と、
を備えることを特徴とするものである。
【発明の効果】
【００１３】
本発明に係る放射線画像検出装置によれば、電気部品間の接触不良を防止するとともに、基台や電気部品の変形を抑制することが出来る。
【発明を実施するための最良の形態】
【００１４】
以下、本発明の実施の形態を図を基に説明する。
【００１５】
［カセッテ型検出器の概要］図１は、カセッテ型検出器の斜視図である。
【００１６】
放射線画像検出装置であるカセッテ型検出器１は、カセッテ型のフラットパネルディテクタ（Ｆｌａｔ  Ｐａｎｅｌ  Ｄｅｔｅｃｔｏｒ：以下「ＦＰＤ」と称する。）である。カセッテ型検出器１は、照射された放射線を検出してデジタル画像データとして取得する放射線検出部２（図３等参照）と、放射線検出部２を内部に収納するハウジング（筐体）３とを備えている。
【００１７】
本実施形態において、ハウジング３は、その放射線入射方向の厚さが１５ｍｍとなるように形成されている。なお、ハウジング３の放射線入射方向の厚さは１６ｍｍ以下であり、従来のスクリーン／フィルム用のカセッテにおけるＪＩＳ規格（ＪＩＳ  Ｚ  ４９０５）に準拠するサイズ（１５ｍｍ＋１ｍｍであり、かつ１５ｍｍ−２ｍｍ）の範囲内である（ＪＩＳ  Ｚ  ４９０５に対応する国際規格は、ＩＥＣ  ６０４０６である）。
【００１８】
図２は、ハウジング３の分解斜視図である。
【００１９】
図２に示すように、ハウジング３は、両端部に開口部３１１、３１２を有する中空のハウジング本体部３１と、ハウジング本体部３１の各開口部３１１、３１２を覆う第１の蓋部材３２及び第２の蓋部材３３とを備えている。
【００２０】
ハウジング本体部３１は、例えば、心材（型）の上にカーボン繊維を巻回して所望の厚み（例えば、１ｍｍ〜２ｍｍ）とした上で形状を整え、巻回したカーボン繊維の上に熱硬化性樹脂を流した上で、高温高圧で焼き固めることにより成型し、その後心材を抜き取ることによって形成する。
【００２１】
第１の蓋部材３２及び第２の蓋部材３３は、蓋本体部３２１、３３１と、挿入部３２２、３３２とを備えており、例えば非導電性のプラスチック等の非導電性の材料によって形成されている。
【００２２】
挿入部３２２、３３２の各側面には、第１の蓋部材３２及び第２の蓋部材３３と、ハウジング本体部３１と、を係合する係合片３２４、３３４が、開口部３１１、３１２に対する挿入方向に向かって延出している。係合片３２４、３３４の外側面には、それぞれ係合凸部３２５、３３５が設けられている。第１の蓋部材３２と第２の蓋部材３３がハウジング本体部３１に挿入されると、係合凸部３２５、３３５がハウジング本体部３１に設置された係合凹部３１５、３１６に係合する。
【００２３】
第１の蓋部材３２における蓋本体部３２１の一側面には、カセッテ型検出器１と外部の機器との間で無線により情報の送受信を行うためのアンテナ装置９が埋め込まれており、アンテナ装置９には、金属からなる平板状の一対の放射板９１、９２と、一対の放射板９１、９２に対して給電する給電部９３とが設けられている。
【００２４】
また、蓋本体部３２１の一面であって、アンテナ装置９が形成されている面と同一面上には、ハウジング３の内部に設けられた充電池２４（図３等参照）を充電する際に外部の電源等と接続される充電用端子４５と、カセッテ型検出器１の電源のＯＮ／ＯＦＦを切り替える電源スイッチ４６が設けられている。更に、アンテナ装置９が形成されている面と放射線入射側の面とによって形成される角部には、例えばＬＥＤ等で構成され充電池２４の充電状況や各種の操作状況等を表示するインジケータ４７が設けられている。
【００２５】
［カセッテ型検出器の内部構造］次にカセッテ型検出器１の内部構造について説明する。図３は、図１に示すカセッテ型検出器１をａ方向からみた所定箇所の断面図である。
【００２６】
図３に示すように、放射線検出部２は、検出器ユニット２１、基台２２、電気部品（第１中継基板２３Ａ、制御基板２３Ｂ、充電池２４等）により構成されている。本実施形態において、基台２２の上方の面（一方の面）には遮蔽部材２５を介して検出器ユニット２１が取り付けられており（基台２２の上方の面に検出器ユニット２１が支持されている形態も取り付けられている形態に含む）、基台２２の下方の面（他方の面）には制御基板２３Ｂや充電池２４等、複数の電気部品が取り付けられている。
【００２７】
基台２２は可撓性であり、薄い樹脂により構成されている。厚さは約１ｍｍであり、材質は例えば、ポリカーボネイトとＡＢＳを混合した樹脂である。このように可撓性のある樹脂により基台２２が形成され、軽量化を行うことで撮影時の患部へのセット性向上やカセッテ型検出器１移動時の持運び性の向上が図れる。
【００２８】
検出器ユニット２１はシンチレータ層２１１、検出部としての信号検出部（不図示）、対向ガラス板２１２、ガラス基板２１３、補強部材２１４等から構成されている。検出器ユニット２１の基本構造を説明すると、ガラス基板２１３の上に信号検出部が支持されており、その上方にシンチレータ層２１１が設置されている。シンチレータ層２１１の上方には対向ガラス板２１２が設置されており、シンチレータ層２１１は対向ガラス板２１２とガラス基板２１３に挟まれている。
【００２９】
シンチレータ層２１１は入射した放射線を光に変換する機能を有する。シンチレータ層２１１は、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力するようになっている。
【００３０】
シンチレータ層２１１の下方には信号検出部（図５では１５１で示す）が形成されおり、信号検出部はシンチレータ層２１１から出力された電磁波（光）を電気エネルギーに変換して蓄積し、蓄積された電気エネルギーに基づく画像信号の出力を行う。
【００３１】
対向ガラス板２１２とガラス基板２１３は、ともに厚みが０．６ｍｍ程度であり、レーザにより端面を切断することにより、端面、すなわち、切断面と、この切断面とガラス基材の上面との稜線部分、及び切断面とガラス基材の下面との稜線部分を平滑化する平滑化処理を施されている。
【００３２】
ガラス基板２１３の下方には補強部材２１４が設置されており、対向ガラス板２１２に対するガラス基板２１３の突出部を補強されている。また、対向ガラス板２１２の上方には対向ガラス板２１２を保護する保護部材２１５が設置されている。
【００３３】
ガラス基板２１３の端部には信号検出部で発生した電気信号を取り出すための電気信号取出部２１６が設けられており、この電気信号取出部２１６と第１中継基板２３Ａとはフレキシブルハーネス２６により接続されている。
【００３４】
基台２２の下方の面に取り付けられた充電池２４として、本実施形態では電気二重層コンデンサを使用している。但し、電気二重層コンデンサ以外に例えばリチウムイオンキャパシタ、ニッカド電池、ニッケル水素電池、リチウムイオン電池、小型シール鉛電池、鉛蓄電池等の充電自在な電池を適用することが出来る。
【００３５】
充電池２４は、基台２２上の所定の位置に設置することにより前述の充電用端子４５と電気的に接続されるようになっており、例えば、カセッテ型検出器１を外部電源と接続されるクレードル等の充電用装置（図示せず）に装着することによって充電用装置側の端子とハウジング３側の充電用端子４５とが接続されて充電池２４の充電が行われるようになっている。
【００３６】
［検出器ユニットの回路構成］次に、検出器ユニット２１の回路構成について説明する。図４は、信号検出部１５１を構成する１画素分の光電変換部の等価回路図である。
【００３７】
図４に示すように、１画素分の光電変換部の構成は、フォトダイオード１５２と、フォトダイオード１５２で蓄積された電気エネルギーをスイッチングにより電気信号として取り出す薄膜トランジスタ（以下「ＴＦＴ」と称する。）１５３とから構成されている。フォトダイオード１５２は、電荷を生成し蓄積する撮像素子である。フォトダイオード１５２から取り出された電気信号は、増幅器１５４により信号読出し回路１７が検出可能なレベルにまで電気信号を増幅するようになっている。
【００３８】
具体的には、光の照射を受けるとフォトダイオード１５２で電荷が発生し、ＴＦＴ１５３のゲートＧに信号読出し用の電圧が印加されると、ＴＦＴ１５３のソースＳに接続されたフォトダイオード１５２から電荷がＴＦＴ１５３のドレインＤ側に流れ、増幅器１５４に並列に接続されたコンデンサ１５４ａに蓄積される。そして、増幅器１５４から、コンデンサ１５４ａに蓄積された電荷に比例して増幅された電気信号が出力されるようになっている。
【００３９】
また、増幅器１５４から増幅された電気信号が出力されて電気信号が取り出されると、増幅器１５４やコンデンサ１５４ａに並列に接続されたスイッチ１５４ｂがオンされてコンデンサ１５４ａに蓄積された電荷が放出されて、増幅器１５４がリセットされるようになっている。
【００４０】
図５は、このような光電変換部を二次元に配列した等価回路図であり、画素間には、走査線Ｌｌと信号線Ｌｒが直交するように配設されている。ＴＦＴ１５３のソースＳには前述のフォトダイオード１５２の一端側が接続されており、ＴＦＴ１５３のドレインＤは信号線Ｌｒに接続されている。一方、フォトダイオード１５２の他端側は、各行に配された隣接するフォトダイオード１５２の他端側と接続されて共通のバイアス線Ｌｂを通じて充電池２４に接続されている。
【００４１】
充電池２４は制御基板２３Ｂに接続され、制御基板２３Ｂからの指示によりバイアス線Ｌｂを通じてフォトダイオード１５２に電圧がかるようになっている。また各行に配されたＴＦＴ１５３のゲートＧは、共通の走査線Ｌｌに接続されており、走査線Ｌｌは走査駆動回路１６を介して制御基板２３Ｂに接続されている。同様に、各列に配されたＴＦＴ１５３のドレインＤは、共通の信号線Ｌｒに接続されて制御基板２３Ｂに制御される信号読出し回路１７に接続されている。
【００４２】
信号読出し回路１７には、前述した信号線Ｌｒごとの増幅器１５４が設けられている。信号読出し時には、選択された走査線Ｌｌに信号読出し用の電圧が印加され、それによりその走査線Ｌｌに接続されている各ＴＦＴ１５３のゲートＧに電圧が印加され、各ＴＦＴ１５３を介して各フォトダイオード１５２から各信号線Ｌｒにそのフォトダイオード１５２で発生した電荷が流れる。そして、各増幅器１５４でフォトダイオード１５２ごとに電荷が増幅され、１行分のフォトダイオード１５２の情報が取り出される。そして、この操作を走査線Ｌｌをそれぞれ切り替えて全ての走査線Ｌｌについて行うことで、全フォトダイオード１５２から情報を取り出すようになっている。
【００４３】
各増幅器１５４にはそれぞれサンプルホールド回路１５５が接続されている。各サンプルホールド回路１５５は信号読出し回路１７に設けられたアナログマルチプレクサ１５６に接続されており、信号読出し回路１７により読み出された信号は、アナログマルチプレクサ１５６からＡ／Ｄ変換器１５７を介して前述した制御基板２３Ｂに出力されるようになっている。
【００４４】
以上、図１〜図５に示すようなカセッテ型検出器１を使用することにより、被写体のＸ線画像を検出することが可能となっている。
【００４５】
［束線のガイド板］図３等で示すカセッテ型検出器１は可搬型であり、所定の場所に運ばれてＸ線画像の検出に使用されるわけであるが、所定の場所に運ばれる最中に誤ってカセッテ型検出器１を落下させてしまったり、他の物体に衝突させてしまったりして、カセッテ型検出器１に突発的な衝撃が加わる場合がある。基台２２の下方の面に取り付けられた複数の電気部品（第１中継基板２３Ａ、制御基板２３Ｂ、充電池２４等）は、電気信号の授受等を行うため、フレキシブルな束線で電気的に接続されているが、カセッテ型検出器１に突発的な衝撃が加わると束線が動いてしまい、電気部品に対する束線の接続箇所が外れる等により接触不良が発生する可能性がある。場合によっては、動いた束線の一部がハウジング３内の他の部材に接触して束線自体が損傷してしまう可能性もある。
【００４６】
そこで、カセッテ型検出器１では、接触不良を防止したり、束線の損傷を防止したりするために、基台２２の下方の面に束線をガイドするガイド板を設けている。以下、この点を図６から図１０を用いて詳しく説明する。
【００４７】
図６は基台２２の下方の平面図である。
【００４８】
図６で示すように、基台２２には、２つの第１中継基板２３Ａと、制御基板２３Ｂと、電源基板２３Ｃと、アンテナ基板２３Ｄと、４つの第２中継基板２３Ｅと、充電池２４が取り付けられている。本実施形態において、第１中継基板２３Ａ、制御基板２３Ｂ、電源基板２３Ｃ、アンテナ基板２３Ｄ、第２中継基板２３Ｅ、充電池２４が電気部品に相当する。
【００４９】
第１中継基板２３Ａは、図５に示す走査駆動回路１６との入出力信号を制御基板２３Ｂへ中継する基板であり、第２中継基板２３Ｅは、図５に示す信号読出し回路１７との入出力信号を制御基板２３Ｂへ中継する基板である。また、電源基板２３Ｃは、充電池２４の電圧を変換して周辺の回路に出力したり、充電池２４における充電の制御を行ったりする基板であり、アンテナ基板２３Ｄは、電気信号を電磁波に変換して出力したり、受信した電磁波を電気信号に変換したりする基板である。
【００５０】
制御基板２３Ｂと電源基板２３Ｃとの間は束線２２１Ａにより電気的に接続されており、束線２２１Ａの周辺には、束線２２１Ａをガイドする板状のガイド板（ガイド部）２２２Ａが設置されている。
【００５１】
制御基板２３Ｂと第１中継基板２３Ａとの間は束線２２１Ｂにより電気的に接続されており、制御基板２３Ｂと第２中継基板２３Ｅとの間は束線２２１Ｃにより電気的に接続されている。束線２２１Ｂ、２２１Ｃの周辺も束線２２１Ａの周辺と同様にガイド板２２２Ｂ、２２２Ｃが設置されている。なお、全ての第１中継基板２３Ａと、全ての第２中継基板２３Ｅは、束線により制御基板２３Ｂと接続されているが、個々の基板間の接続は同じ構成であるため、図６では制御基板２３Ｂと一つの第１中継基板２３Ａとの接続、及び制御基板２３Ｂと一つの第２中継基板２３Ｅとの接続を示し、他の基板間の接続は省略している。
【００５２】
電源基板２３Ｃとアンテナ基板２３Ｄとの間は束線２２１Ｄにより電気的に接続されており、束線２２１Ｄの周辺も束線２２１Ａの周辺と同様にガイド板２２２Ｄが設置されている。
【００５３】
ガイド板２２２Ａ、２２２Ｂ、２２２Ｃ、２２２Ｄは、ガイドする束線との関係において同様であるため、図６におけるＡ領域を拡大して、ガイド板と束線との関係を説明する。
【００５４】
図７（ａ）は図６におけるＡ領域を拡大した説明図であり、図７（ｂ）は束線２２１Ａとガイド板２２２Ａとの縦断面図である。
【００５５】
図７（ｂ）で示すようにガイド板２２２Ａは基台２２の下方の面に設置されており、図７（ａ）、図７（ｂ）で示すように板状のガイド板２２２Ａが束線２２１Ａの周辺を保護するようにガイドしている。
【００５６】
このように束線２２１Ａの周辺にガイド板２２２Ａを設置し、ガイド板２２２Ａが束線２２１Ａをガイドすることにより、カセッテ型検出器１に突発的な衝撃が加わっても束線２２１Ａがガイド板２２２Ａにより動きが規制され、制御基板２３Ｂ等に対する束線２２１Ａの接続箇所が外れることはなく、接触不良を防止することが出来る。また、束線２２１Ａの動きがガイド板２２２Ａにより規制されるため、束線２２１Ａの一部がハウジング３内の他の部材に接触して束線自体が損傷することも防止出来る。特に束線が長い箇所は束線が動きやすいため、ガイド板を設けることにより、接触不良や束線の損傷をより効果的に防止出来る。
【００５７】
更に、ガイド板２２２Ａは板状の部材（リブ）であり、ガイド板２２２Ａにより基台２２の剛性が増して基台２２の撓みを防止することが出来る。従って、Ｘ線撮影時には被写体Ｐがカセッテ型検出器１の上に横になったり座ったりして、カセッテ型検出器１に一定の荷重が加わっても、基台２２が撓むことはなく、制御基板２３Ｂ等の変形を抑制でき、制御基板２３Ｂの破損を防止してＸ線の適切な検出動作を行うことが出来る。特に従来のカセッテ型検出器との互換性を確保するためにＪＩＳ規格のサイズに適合したカセッテ型検出器１では、基台２２は薄く剛性が低いため、基台２２にガイド板２２２Ａを設置することは特に効果的である。
【００５８】
ところで、図７（ｂ）で示すように、束線２２１Ａとガイド板２２２Ａとの間には一定の空隙があるが、空隙が狭いと束線２２１Ａを制御基板２３Ｂ等に取り付けたり、取り外したりする作業性が劣り、逆に空隙が広いとガイド板２２２Ａにより束線２２１Ａの動きが規制出来ず、接続不良を発生しやすい。そこで、図７（ｂ）で示すように、束線２２１Ａの幅をＣとし、ガイド板２２２Ａの設置幅をＤとして、ＣとＤとの適切な関係を実験により確認した。そこ結果を以下の表１に示す。
【００５９】
【表１】
2010133724.tif 000003
【００６０】
作業性については、束線の基板に対する抜き差しを１０回実施し、抜き差しを実施するにあたって問題があるか否か確認した。また束線の接続状態については、カセッテ型検出器１を地面から９０ｃｍの高さから１０回落下させて、その時の基板と束線の接続状態に問題があるか否か確認した。表１において「×」は問題あり、「△」はやや問題あり、「○」は問題なし、であることを示す。
【００６１】
実験の結果、作業性、束線の接続状態の両面で良好な範囲は以下の関係式を満足する範囲である。
１．０５×Ｃ≦Ｄ≦１．１５×Ｃ
従って、この範囲でガイド板２２２Ａを設置することが好ましいといえる。
【００６２】
前述したように、ガイド板２２２Ａは板状の部材（リブ）であり、ガイド板２２２Ａにより基台２２の剛性が増して基台２２の撓みを防止することが出来るが、図８（ガイド板２２２Ａを長手方向から見た図である）で示すように、基台２２がハウジング３に内蔵された状態において、ガイド板２２２Ａがハウジング３の内壁に保持されていることが好ましい。ガイド板２２２Ａがハウジング３の内壁に保持されていると、Ｘ線撮影時には被写体Ｐがカセッテ型検出器１の上に横になったり座ったりして、図８で示すように基台２２の上方から荷重Ｆが加わっても、ガイド板２２２Ａが基台２２を支えることになるため、基台２２の撓みを更に抑制することが出来る。その結果、制御基板２３Ｂ等の変形を抑制でき、制御基板２３Ｂの破損を防止してＸ線の適切な検出動作を行うことが出来る。
【００６３】
以上、図６に示すガイド板２２２Ａ、２２２Ｂ、２２２Ｃ、２２２Ｄについて、ガイド板２２２Ａを用いて詳しく説明したが、図６に示すように、充電池２４と電源基板２３Ｃを接続する束線２２１Ｅの周辺にあるガイド板２２２Ｅは他のガイド板と形状が異なる。ガイド板２２２Ｅは束線２２１Ｅの方向が変更している箇所に設置されており、Ｌ字型の構造となっている。束線２２１Ｅの方向が変更している箇所の動きを規制すれば、他の束線領域をガイド板により規制しなくても束線全体を規制することが出来るため、効率よく充電池２４等との接続不良を防止することが出来る。なお、ガイド板２２２ＥがＬ字型の構造であるが、束線２２１Ｅの方向が変更している箇所をピン形状のガイド板により規制するようにしても良い。
【００６４】
［他の実施形態］図９、図１０はガイド板に関する他の実施形態を示す。
【００６５】
図９はＬ字型のガイド板を示す斜視図である。
【００６６】
図７（ｂ）で示すガイド板２２２Ａは基台２２に対してまっすぐ立っている構造であるが、図９で示すように、Ｌ字型のガイド板２２２Ａにより束線２２１Ａの動きを規制するようにしても、図７に示すガイド板２２２Ａと同様の効果が得られる。
【００６７】
図１０は充電池２４の位置決め機能を有するガイド板２２２Ｅを示す平面図である。
【００６８】
図１０に示すように、ガイド板２２２Ｅは充電池２４と接続されている束線２２１Ｅをガイドするものであるが、ガイド板２２２Ｅは充電池２４の側面にも接しており、ガイド板２２２Ｅが充電池２４の位置決めをする機能を有する。このようにガイド板２２２Ｅが充電池２４の位置決めをする機能を有するようにすれば、基台２２に対して充電池２４を適切な位置に設置することができ、かつ、突発的な衝撃が加わった場合に充電池２４の位置がずれることはない。
【００６９】
なお、本発明は当該実施の形態に限定されるものではなく、本発明の要旨を逸脱しない範囲における変更や追加があっても本発明に含まれる。
【００７０】
本実施形態では、検出器ユニット２１がシンチレータ層２１１と信号検出部１５１とによって構成されている間接変換方式のＦＰＤを例として説明したが、ＦＰＤは間接変換方式のものに限られない。例えば、放射線を吸収し放射線を電荷に変換するアモルファス・セレン（ａ−Ｓｅ）層を設け、このａ−Ｓｅ層の中に放射線フォトンを高電圧で引き込むことにより、検出器に照射された放射線の放射線エネルギーを直接電荷量に変換する（電気信号化する）直接変換方式のＦＰＤにおいても、ａ−Ｓｅ層を２枚のガラス基材の間に挟み込む本発明の構成を適用することが可能である。
【図面の簡単な説明】
【００７１】
【図１】カセッテ型検出器を示す斜視図である。
【図２】ハウジングの分解斜視図である。
【図３】図１に示すカセッテ型検出器をａ方向から見た所定箇所の断面図である。
【図４】信号検出部を構成する光電変換部の１画素分の等価回路構成図である。
【図５】図４に示す光電変換部を二次元に配列した等価回路構成図である。
【図６】基台の下方の平面図である。
【図７】束線とガイド板との関係を示す説明図である。
【図８】ガイド板がハウジングの内壁に保持された状態を示す説明図である。
【図９】Ｌ字型のガイド板を示す斜視図である。
【図１０】充電池の位置決め機能を有するガイド板を示す平面図である。
【図１１】ＦＰＤである放射線画像検出装置を用いた従来のシステムの概略図である。
【図１２】従来の放射線画像検出装置の一例を示す縦断面図である。
【符号の説明】
【００７２】
１  カセッテ型検出器
２  放射線検出部
３  ハウジング
２１  検出器ユニット
２２  基台
２３Ａ  第１中継基板
２３Ｂ  制御基板
２３Ｃ  電源基板
２３Ｄ  アンテナ基板
２３Ｅ  第２中継基板
２４  充電池
１５１  信号検出部
２１１  シンチレータ層
２１２  対向ガラス板
２１３  ガラス基板
２２１Ａ、２２１Ｂ、２２１Ｃ、２２１Ｄ、２２１Ｅ  束線
２２２Ａ、２２２Ｂ、２２２Ｃ、２２２Ｄ、２２２Ｅ  ガイド板
【図１】
2010133724.tif 000004
【図２】
2010133724.tif 000005
【図３】
2010133724.tif 000006
【図４】
2010133724.tif 000007
【図５】
2010133724.tif 000008
【図６】
2010133724.tif 000009
【図７】
2010133724.tif 000010
【図８】
2010133724.tif 000011
【図９】
2010133724.tif 000012
【図１０】
2010133724.tif 000013
【図１１】
2010133724.tif 000014
【図１２】
2010133724.tif 000015